(57)【要約】【課題】作業中の操作レバーの操作を容易に、かつ、確実に規制する。【解決手段】配線用遮断器１００に設けられ、往復動作によって回路の開閉操作を行う操作レバー１２２を、開位置または閉位置でロックする配線用遮断器の操作レバーロック機構１０において、配線用遮断器１００に設けられ、操作レバー１２２を露出する開口部２２を有する正面パネル２０と、正面パネル２０に蝶番金具３２を介して回動自在に取り付けられ、一方側に回動した時に開口部２２の一部を覆うと共に、操作レバー１２２の動作を規制し、他方側に回動した時に開口部２２から離間して操作レバー１２２の動作の規制を解除する開閉パネル３０と、正面パネル２０に設けられ、固定側孔部２３ａを有する固定片２３と、開閉パネル３０に設けられると共に、一方側に回動した時に固定側孔部２３ａと連通する可動側孔部３３ａを有する可動片３３と、固定側孔部２３ａと可動側孔部３３ａとを挿通する南京錠４０を備えている。【選択図】      図１
2019037056.tif 000002
【特許請求の範囲】
【請求項１】
配線用遮断器に設けられ、往復動作によって回路の開閉操作を行う操作レバーを、開位置または閉位置でロックする配線用遮断器の操作レバーのロック機構において、
前記配線用遮断器に設けられ、前記操作レバーを露出する開口部を有する正面パネルと、
前記正面パネルに蝶番金具を介して回動自在に取り付けられ、一方側に回動した時に前記開口部の一部を覆うと共に、前記操作レバーの動作を規制し、他方側に回動した時に前記開口部から離間して前記操作レバーの動作の規制を解除する開閉パネルと、
前記正面パネルに設けられ、固定側孔部を有する固定片と、
前記開閉パネルに設けられると共に、前記一方側に回動した時に前記固定側孔部と連通する可動側孔部を有する可動片と、
前記固定側孔部と前記可動側孔部とを挿通する錠部品を備えている配線用遮断器の操作レバーのロック機構。
【請求項２】
前記操作レバーは複数設けられ、
前記開閉パネルは、前記複数の操作レバーのうち所定数の操作レバーの動作を規制する請求項１に記載の配線用遮断器の操作レバーのロック機構。
【請求項３】
前記開閉パネルは、前記一方側への回動時に前記操作レバーの動作範囲に位置する規制片を有する請求項１に記載の配線用遮断器の操作レバーのロック機構。
【請求項４】
前記正面パネルには、前記開閉パネルが前記他方側に回動した時に前記可動片が挿入される挿入孔が設けられている請求項１に記載の配線用遮断器の操作レバーのロック機構。
【請求項５】
前記開閉パネルには、前記一方側に回動した時に、正面側に向けてロック中であることを正面に向けて示す表示板が設けられている請求項１に記載の配線用遮断器の操作レバーのロック機構。
【発明の詳細な説明】
【技術分野】
【０００１】
本発明は、作業中の操作レバーの操作を規制するための配線用遮断器の操作レバーのロック機構に関する。
【背景技術】
【０００２】
ビルや工場等に設置された機器等には、分電盤から配線用遮断器を経由して電力が供給されている。これらの配線用遮断器には、電源の供給を一定の配線領域毎にＯＮ／ＯＦＦするための操作レバー（ブレーカスイッチ）が設けられている。上述したような機器の保守作業を行う際、メンテナンスを実行するために常時電源を供給しておくべき回路と、不用意な接触等で作業者が感電することを防止するために電源を遮断しておく回路が併存している場合がある。
【０００３】
保守作業用に通電している場合であっても、操作スイッチを誤って触れて電源遮断し、保守作業が中断することがあった。また、逆に、電源を遮断している場合に、電源投入して作業が中止となる場合もあった。特に、大型の機器では、装置内部に作業者が入って作業をしている場合に、他の作業者が気付かずに電源遮断している回路の操作スイッチをＯＮにすると感電する可能性があった。
【０００４】
このため、作業者が、作業における必要な電源供給／遮断の状態にした後に、誤って電源供給／遮断が解除されないように、操作レバーを施錠によりロックし、カギを保持している作業者しか変更できないようにする技術が知られている（例えば、特許文献１参照。）。
【０００５】
図６，７は、このような配線用遮断器の操作レバーのロック機構の一例を示す図である。図中１００は分電盤に接続された配線用遮断器を示している。配線用遮断器１００は、複数の配電グループ毎に設けられた開閉回路を内部に収容する筐体１１０と、この筐体１１０の前面パネル１１１に設けられ、複数の開閉回路にそれぞれ接続された複数の操作デバイス１２０を備えている。操作デバイス１２０は、ベース部１２１と、このベース部１２１上で往復動する操作レバー１２２とを備えている。ロック機構としては、ロックが必要な操作レバー１２２のレバー部分にロック部品２００を取付け、南京錠２１０でロック部品２００が取れない様に固定するものである。
【先行技術文献】
【特許文献】
【０００６】
【特許文献１】実開平５−３３４４１号公報
【発明の概要】
【発明が解決しようとする課題】
【０００７】
このような配線用遮断器の操作レバーのロック機構にあっては次のような問題があった。すなわち、ロックが必要な操作レバー１２２が複数ある場合は、ロック部品２００と南京錠２１０を１個ずつ取り付ける必要があるため作業性が悪かった。また、ロックが必要ではない操作レバー１２２に取付けてしまう可能性もあった。ロック部品２００は小さい部品のため、南京錠を外した状態では紛失の虞がある。このため、南京錠と共に保管場所を別途用意する必要があった。また、小さい部品であるため、視認性が悪く、遠目ではどの操作レバー１２２がロック中なのか判別しにくかった。
【０００８】
そこで、本発明は、作業中の操作レバーの操作を容易に、かつ、確実に規制するための配線用遮断器の操作レバーのロック機構を提供することを目的とする。
【課題を解決するための手段】
【０００９】
配線用遮断器に設けられ、往復動作によって回路の開閉操作を行う操作レバーを、開位置または閉位置でロックする配線用遮断器の操作レバーのロック機構において、前記配線用遮断器に設けられ、前記操作レバーを露出する開口部を有する正面パネルと、前記正面パネルに蝶番金具を介して回動自在に取り付けられ、一方側に回動した時に前記開口部の一部を覆うと共に、前記操作レバーの動作を規制し、他方側に回動した時に前記開口部から離間して前記操作レバーの動作の規制を解除する開閉パネルと、前記正面パネルに設けられ、固定側孔部を有する固定片と、前記開閉パネルに設けられると共に、前記一方側に回動した時に前記固定側孔部と連通する可動側孔部を有する可動片と、前記固定側孔部と前記可動側孔部とを挿通する錠部品を備えている。
【発明の効果】
【００１０】
本発明によれば、作業中の操作レバーの操作を容易に、かつ、確実に規制することが可能となる。
【図面の簡単な説明】
【００１１】
【図１】本発明の第１実施形態に係る操作レバーロック機構（解除時）を示す斜視図。
【図２】同操作レバーロック機構（作業時）を示す斜視図。
【図３】同操作レバーロック機構（ロック時）を示す斜視図。
【図４】本発明の第２実施形態に係る操作レバーロック機構（ロック時）を示す斜視図。
【図５】本発明の第３実施形態に係る操作レバーロック機構（ロック時）を示す斜視図。
【図６】操作レバーロック機構の一例を示す斜視図。
【図７】操作レバーロック機構の別の例を示す斜視図。
【発明を実施するための形態】
【００１２】
図１は本発明の第１実施形態に係る操作レバーロック機構（配線用遮断器の操作レバーのロック機構）１０のロック解除時を示す斜視図、図２は操作レバーロック機構１０のロック作業時を示す斜視図、図３は操作レバーロック機構１０のロック時を示す斜視図である。
【００１３】
図１中１００は分電盤に接続された配線用遮断器を示している。配線用遮断器１００は、複数の配電グループ毎に設けられた開閉回路を内部に収容する筐体１１０と、この筐体１１０の前面に設けられ、複数の開閉回路にそれぞれ接続された複数の操作デバイス１２０を備えている。操作デバイス１２０は、ベース部１２１と、このベース部１２１上で往復動する操作レバー１２２とを備えている。操作レバー１２２は、往復動作（図１中上下方向）によって開閉回路の開閉操作を行い、上下の両端において固定される。なお、本実施形態においては、上側がＯＮ（閉位置）、下側がＯＦＦ（開位置）とする。
【００１４】
操作レバーロック機構１０は、筐体１１０の前面にネジあるいはリベット等により固定された正面パネル２０を備えている。正面パネル２０は、平板状のパネル本体２１と、このパネル本体２１に設けられた開口部２２と、開口部２２近傍に設けられた固定片２３が設けられている。パネル本体２１には、後述する開閉パネル３０が前記他方側に回動した時に可動片３３が挿入される挿入孔２１ａが設けられている。
【００１５】
開口部２２は、複数の操作デバイス１２０のベース部１２１が嵌合する寸法に形成されている。各ベース部１２１に取り付けられた各操作レバー１２２が正面側に露出する。また、固定片２３には固定側孔部２３ａが形成されている。
【００１６】
図３における位置関係で説明すると、パネル本体２１には、開閉パネル３０が取り付けられている。開閉パネル３０は、平板状のパネル本体３１と、このパネル本体３１の上端部に設けられ、水平方向を回動軸としてパネル本体３１を回動可能とする蝶番金具３２を備えている。ここで、図３に示す位置を一方側への回動、図１に示す位置を他方側への回動として説明する。
【００１７】
図２に示すように、パネル本体３１の左端部には可動片３３、下端部には折曲片３４が設けられている。可動片３３には可動側孔部３３ａが形成されている。また、折曲片３４は操作レバー１２２に干渉しないような角度に設計されている。パネル本体３１の表面には「ＬＯＣＫ  ＯＵＴ」の文字列が表記された表示板３５が取り付けられている。この文字列については、「ロック中」「作業中」等の他の文字列を用いても良い。
【００１８】
操作レバー１２２を下方に下げた場合（図１参照）において、パネル本体３１は、図３に示すように、下方側に回動させると、パネル本体３１の下端が操作レバー１２２の移動範囲に重なる寸法に形成されている。また、同様の状態において、固定片２３には固定側孔部２３ａと、可動片３３には可動側孔部３３ａとは、同軸的な配置となり、連通する。
【００１９】
図３の位置においては、固定片２３には固定側孔部２３ａと、可動片３３には可動側孔部３３ａとは、連通していることから、この位置で、固定側孔部２３ａと可動側孔部３３ａとに挿通される南京錠（錠部品）４０が設けられている。
【００２０】
このように構成された操作レバーロック機構１０は、次のようにして、ロック及びその解除を行う。すなわち、保守作業等を行わない場合には、図１に示すように、開閉パネル３０を一方側（上方側）に回動させておく。なお、この時、開閉パネル３０の可動片３３は、挿入孔２１ａに挿入されている。この時、可動片３３は、正面パネル２０の裏面側に位置しており、その位置で可動側孔部３３ａに南京錠４０を挿通し、開閉パネル３０が回動しないように固定する。
【００２１】
パネル本体３１は、開口部２２から離間し、操作レバー１２２と無関係の位置にあるため、操作レバー１２２はＯＮ／ＯＦＦのいずれの位置にも自由に操作させることができる。
【００２２】
次に、ロックさせる場合について説明する。左端の操作レバー１２２を保守作業に適したＯＦＦ位置（開位置）に動作させる。次に、正面パネル２０の裏面側において可動側孔部３３ａに挿通してある南京錠４０を外す。次に、図２に示すように、開閉パネル３０を下方へ回動させる。
【００２３】
次に、図３に示すように、開閉パネル３０を一方側（下方側）に回動させ、パネル本体３１を操作レバー１２２の移動範囲に位置決めする。このとき、開閉パネル３０側の可動片３３と、正面パネル２０側の固定片２３とが重なる。そして、固定側孔部２３ａと可動側孔部３３ａを位置合わせして、南京錠４０を挿通させ、鍵をかける。これにより、開閉パネル３０は固定される。
【００２４】
このような状態であると、左端側の操作レバー１２２の動作がパネル本体３１によって規制されるため、操作レバー１２２を動作させることができない。この場合においては、操作レバー１２２をＯＮ側に移動させることができないため、配線用遮断器１００を閉じることがなく、機器に通電することがなく、保守作業を安全に行うことができる。また、パネル本体３１の表面には「ＬＯＣＫ  ＯＵＴ」の文字列が表記されているため、作業中であることが容易に判別できる。
【００２５】
このように構成された操作レバーロック機構１０によれば、操作レバー１２２をロックするには、開閉パネル３０を回動させて、南京錠４０を挿通させるだけであるため、作業が簡易化される。また、ロックに必要な部品は、原則として操作レバーロック機構１０と一体化されているため、部品を紛失することがない。また、南京錠４０は別体であるが、ロック解除時において正面パネル２０の裏側で可動片３３に挿通させておくことができるので、部品の収納場所を確保する必要が無い。さらに、パネル本体３１の表面に文字列が表記させることで、作業中であることが容易に判別でき、視認性が向上させることができ、ヒューマンエラーを防止できる。
【００２６】
また、正面パネル２０、開閉パネル３０、南京錠４０を金属材製とすることで、容易に破壊することができず、安全性を向上させることができる。さらに、正面パネル２０を筐体１１０にリベット留めすれば操作レバーロック機構１０を取り外すことも困難となり、さらに安全性を向上させることができる。
【００２７】
図４は、本発明の第２実施形態に係る操作レバーロック機構１０Ａのロック時を示す斜視図である。なお、図４において、図１〜図３と同一機能部分には同一符号を付し、その詳細な説明は省略する。
【００２８】
操作レバーロック機構１０Ａには、開閉パネル３０Ａが設けられている。開閉パネル３０Ａは、２つ分の操作レバー１２２に対応するパネル本体３１Ａが設けられている。すなわち、パネル本体３１Ａの水平方向の寸法は、パネル本体３１の水平方向の寸法の約２倍に設定されている。
【００２９】
このように構成された操作レバーロック機構１０Ａによれば、上述した操作レバーロック機構１０と同様の効果が得られると共に、ロックが必要な操作レバー１２２が複数ある場合であっても、開閉パネルの位置や大きさを変更することにより、１つの蝶番金具３２により複数の操作レバー１２２をロックさせることができる。なお、操作レバー１２２が離間している場合には複数の蝶番金具３２を用いるようにしてもよい。
【００３０】
図５は、本発明の第３実施形態に係る操作レバーロック機構１０Ｂのロック時を示す斜視図である。なお、図５において、図１〜図４と同一機能部分には同一符号を付し、その詳細な説明は省略する。
【００３１】
図５には、ロックが必要な操作レバー１２２が複数、ランダムに配置されている場合を示している。操作レバーロック機構１０Ｂには、正面パネル２０Ｂと、この正面パネル２０Ｂに対して一対の蝶番金具３２によって回動自在に取り付けられた開閉パネル３０Ｂが設けられている。正面パネル２０Ｂには、開口部２２が設けられ、開閉パネル３０Ｂには開口部２２と同じ位置に開口部３６が設けられている。
【００３２】
開閉パネル３０Ｂには、３つのロック板５０が設けられ、それぞれロックが必要となる操作レバー１２２に対応して配置されている。例えば、ロック板５０の水平方向の寸法は、上述したパネル本体３１の水平方向の寸法の約２倍と約３倍に設定されている。
【００３３】
このように構成された操作レバーロック機構１０Ｂによれば、上述した操作レバーロック機構１０，１０Ａと同様の効果が得られると共に、ロックが必要な操作レバー１２２が複数で、かつ、ランダムに配置されている場合であっても、ロック板５０の位置や大きさを変更することにより、一対の蝶番金具３２により複数の操作レバー１２２を同時にロックさせることができる。
【００３４】
なお、上述した操作レバーロック機構１０，１０Ａ，１０Ｂは、開閉パネル３０に対する蝶番金具３２の位置は、開閉パネル３０に対して上方に設けられているが、下方や側方に設けても良い。下方に設けた場合は、未使用時に開閉パネル３０が無作為に下側に落下することを防止でき、また、側方に設けた場合は、開閉パネル３０を回動させる際に、パネル本体３１が上下に落下することを回避できる。
【００３５】
また、開閉パネルを１つではなく、複数種類の開閉パネルを用意しておき、作業種別に応じて交換可能とすることで、複数の操作レバーを同時かつ確実に作業種別に応じて適切な状態に変更することができる。
【００３６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００３７】
１０，１０Ａ，１０Ｂ…操作レバーロック機構（配線用遮断器の操作レバーのロック機構）、２０，２０Ｂ…正面パネル、２１…パネル本体、２１ａ…挿入孔、２２…開口部、２３…固定片、２３ａ…固定側孔部、３０，３０Ａ，３０Ｂ…開閉パネル、３１，３１Ａ…パネル本体、３２…蝶番金具、３３…可動片、３３ａ…可動側孔部、３４…折曲片、３５…表示板、３６…開口部、４０…南京錠（錠部品）、５０…ロック板、１００…配線用遮断器、１１０…筐体、１２０…操作デバイス、１２２…操作レバー。
【図１】
2019037056.tif 000003
【図２】
2019037056.tif 000004
【図３】
2019037056.tif 000005
【図４】
2019037056.tif 000006
【図５】
2019037056.tif 000007
【図６】
2019037056.tif 000008
【図７】
2019037056.tif 000009